(57)【要約】【課題】複数の監視制御対象機器を集中して監視制御する集中監視制御装置の負荷を抑制でき、１台の監視制御装置が処理し得る負荷を考慮して監視制御装置の装置数を決めることができ、監視制御対象に割り当てが必要な集中監視制御装置と同じサブネットに属するＩＰアドレス数を１個にできる監視制御システムを提供する。【解決手段】監視制御対象装置と、集中監視制御装置と、監視制御対象装置のうちの第１の台数の第１の監視制御対象装置の各々と集中監視制御装置との間の、監視制御命令又は応答を、集約又は第１の監視制御対象装置毎に分離して転送する第１の監視制御情報転送手段を含むスレーブ監視制御装置と、監視制御対象装置のうちの第２の台数の第２の監視制御対象装置の各々と集中監視制御装置との間の、監視制御命令又は応答を、集約又は第２の監視制御対象装置毎に分離して転送する第２の監視制御情報転送手段を含むマスタ監視制御装置とを備える。【選択図】      図１
2014093763.tif 000002
【特許請求の範囲】
【請求項１】
監視制御対象である複数の監視制御対象装置と、
前記複数の監視制御対象装置を監視制御する集中監視制御装置と、
前記複数の監視制御対象装置のうちの第１の台数の第１の監視制御対象装置の各々と前記集中監視制御装置との間の、監視制御命令又は監視制御応答を、集約又は前記第１の監視制御対象装置毎に分離して転送する第１の監視制御情報転送手段を含むスレーブ監視制御装置と、
前記複数の監視制御対象装置のうちの第２の台数の第２の監視制御対象装置の各々と前記集中監視制御装置との間の、監視制御命令又は監視制御応答を、集約又は前記第２の監視制御対象装置毎に分離して転送する第２の監視制御情報転送手段を含み、前記集中監視制御装置と前記スレーブ監視制御装置とに接続されるマスタ監視制御装置とを備え、
前記スレーブ監視制御装置は、前記第１の監視制御対象装置と前記マスタ監視制御装置と前記第１の監視制御情報転送手段とに接続される第１のスイッチと、を含み、
前記マスタ監視制御装置は、前記集中監視制御装置と前記第２の監視制御情報転送手段とに接続される第２のスイッチと、前記第２の監視制御対象装置と前記スレーブ監視制御装置と前記第２の監視制御情報転送手段とに接続される第３のスイッチと、を含む、
ことを特徴とする監視制御システム。
【請求項２】
更に、前記監視制御対象装置がトランスポンダである請求項１に記載の監視制御システム。
【請求項３】
監視制御対象である複数の監視制御対象装置のうちの第２の台数の第２の監視制御対象装置の各々と前記複数の監視制御対象装置を監視制御する集中監視制御装置との間の、監視制御命令又は監視制御応答を、集約又は前記第２の監視制御対象装置毎に分離して転送する第２の監視制御情報転送手段と、
前記複数の監視制御対象装置のうちの第１の台数の第１の監視制御対象装置の各々と前記集中監視制御装置との間の、監視制御命令又は監視制御応答を、集約又は前記第１の監視制御対象装置毎に分離して転送する第１の監視制御情報転送手段を含むスレーブ監視制御装置と、前記第２の監視制御対象装置と、前記第２の監視制御情報転送手段とに接続される第３のスイッチと、
前記集中監視制御装置と前記第２の監視制御情報転送手段とに接続される第２のスイッチと、
を備えることを特徴とするマスタ監視制御装置。
【請求項４】
監視制御対象である複数の監視制御対象装置のうちの第１の台数の第１の監視制御対象装置の各々と前記複数の監視制御対象装置を監視制御する集中監視制御装置との間の、監視制御命令又は監視制御応答を、集約又は前記第１の監視制御対象装置毎に分離して転送する第１の監視制御情報転送手段と、
前記複数の監視制御対象装置のうちの第２の台数の第２の監視制御対象装置の各々と前記集中監視制御装置との間の、監視制御命令又は監視制御応答を、集約又は前記第２の監視制御対象装置毎に分離して転送する第２の監視制御情報転送手段を含むマスタ監視制御装置と、前記第１の監視制御対象装置と、前記第１の監視制御情報転送手段とに接続される第１のスイッチと、
を備えることを特徴とするスレーブ監視制御装置。
【請求項５】
監視制御対象である複数の監視制御対象装置のうちの第１の台数の第１の監視制御対象装置の各々との間の、監視制御命令又は監視制御応答を、集約又は前記第１の監視制御対象装置毎に分離して転送する第１の監視制御情報転送手段を含むスレーブ監視制御装置を経由して前記第１の監視制御対象装置と接続され、
前記複数の監視制御対象装置のうちの第２の台数の第２の監視制御対象装置の各々と集中監視制御装置との間の、監視制御命令又は監視制御応答を、集約又は前記第２の監視制御対象装置毎に分離して転送する第２の監視制御情報転送手段を含むマスタ監視制御装置を経由して前記第２の監視制御対象装置と接続され、
前記第１の監視制御対象装置及び前記第２の監視制御対象装置を監視制御する
ことを特徴とする集中監視制御装置。
【請求項６】
監視制御対象である複数の監視制御対象装置のうちの第１の台数の第１の監視制御対象装置の各々と前記集中監視制御装置との間の、監視制御命令又は監視制御応答を、集約又は前記第１の監視制御対象装置毎に分離して転送し、
前記複数の監視制御対象装置のうちの第２の台数の第２の監視制御対象装置の各々と前記集中監視制御装置との間の、監視制御命令又は監視制御応答を、集約又は前記第２の監視制御対象装置毎に分離して転送
することを特徴とする監視制御方法。
【発明の詳細な説明】
【技術分野】
【０００１】
本発明は、監視制御システム、マスタ監視制御装置、スレーブ監視制御装置、集中監視制御装置、及び、監視制御方法に関する。
【背景技術】
【０００２】
光海底ケーブル等の波長多重伝送システムでは、トランスポンダの波長の異なる信号を多重化して、収容可能な通信トラフィックを増加させることができる。
【０００３】
トランスポンダの波長の異なる信号を多重化する波長多重伝送システムの一例が、特許文献１に開示されている。特許文献１の波長多重伝送制御システムは、２台の端局装置と、端局装置間で接続される光伝送路とを備える。各端局装置は、それぞれ異なる特定波長でデータ伝送を行う複数のトランスポンダと、各トランスポンダの光信号波長の多重・分離を行う波長多重分離部と、トランスポンダ及び波長多重分離部の監視制御を行う監視制御部とを備える。波長多重伝送制御システムは、以下のように動作する。
【０００４】
１台の端局装置は、同一光信号波長を利用するトランスポンダの対の一方を備える。トランスポンダは、対の他方のトランスポンダとデータの送受信を行う。波長多重分離部は、送信光信号を多重化して光伝送路に送信する一方、光伝送路から受信した光信号を波長分離する。監視制御部は、トランスポンダの状態を確認し、トランスポンダの設定を変更する。
【０００５】
多数の監視制御対象を有する監視制御システムの一例が、特許文献２に開示されている。特許文献２の系統監視制御システムでは、多数の監視制御対象であるノードが通信路で接続されている。通信路は、１台の監視制御センターをルートとし、末端の需要家に対応するノードをリーフとする、多段階層のツリー構造を有する。系統監視制御システムは、以下のように動作する。
【０００６】
監視制御対象である１台のノードは、もし下位の階層（リーフ側）があれば、通信路で直接接続された１階層下位のすべてのノードと通信を行う。そして、ノードは、下位のノードから監視情報を収集するか、又は、下位のノードへ制御情報を分配する。監視制御対象である１台のノードは、通信路で直接接続された１階層上位（ルート側）の１台のノードと通信を行う。そして、ノードは、そのノード及び下位のノードからの監視情報を集約して上位のノードに報告するか、又は、そのノード及び下位のノードへの制御情報を集約して上位のノードから受け取る。
【先行技術文献】
【特許文献】
【０００７】
【特許文献１】特開２０１０−１８７０８１号公報（第４−５ページ、図１−４）
【特許文献２】特開２０１０−２７９２３８号公報（第５−６ページ、図１−２）
【発明の概要】
【発明が解決しようとする課題】
【０００８】
特許文献１に開示されている技術では、トランスポンダの信号波長を多重化すると、トランスポンダの装置数も増加する。トランスポンダの装置数が増加すると、監視制御部の負荷が増大するという問題がある。又、トランスポンダに監視制御部と同じサブネットのＩＰアドレスを付与する場合、トランスポンダの装置数が大幅に増加すると、ＩＰアドレスが不足するという問題もある。
【０００９】
一方、特許文献２に開示されている技術では、監視制御対象である電力ネットワークを構成するノードと１対１に対応する監視制御器が、電力ネットワークと同じトポロジーの多階層のツリー構造を有する通信路で接続されている。各監視制御器は、その監視制御器及び下位階層の監視制御器の監視制御情報を集約して、上位階層の監視制御器と通信する。従って、特許文献２に開示されている技術では、１台の監視制御器の負荷を軽減することができる。しかし、監視制御センターの直下に存在する監視制御器数は、電力ネットワークのトポロジーに従って決定されてしまい、監視制御システムとして独立して決定できないので、１台の監視制御器が処理し得る負荷を考慮して監視制御装置の装置数を決めることができないという問題がある。
【００１０】
本発明の目的は、複数の監視制御対象機器の監視制御において、全ての監視制御対象機器を集中して監視制御する集中監視制御装置に対する負荷を抑制し、１台の監視制御装置が処理し得る負荷を考慮して監視制御装置の装置数を決めることができ、又、監視制御対象に割り当てが必要な集中監視制御装置と同じサブネットに属するＩＰアドレス数を１個にすることができる監視制御システム、マスタ監視制御装置、スレーブ監視制御装置、集中監視制御装置、及び、監視制御方法を提供することにある。
【課題を解決するための手段】
【００１１】
本発明の監視制御システムは、監視制御対象である複数の監視制御対象装置と、複数の監視制御対象装置を監視制御する集中監視制御装置と、複数の監視制御対象装置のうちの第１の台数の第１の監視制御対象装置の各々と集中監視制御装置との間の、監視制御命令又は監視制御応答を、集約又は第１の監視制御対象装置毎に分離して転送する第１の監視制御情報転送手段を含むスレーブ監視制御装置と、複数の監視制御対象装置のうちの第２の台数の第２の監視制御対象装置の各々と集中監視制御装置との間の、監視制御命令又は監視制御応答を、集約又は第２の監視制御対象装置毎に分離して転送する第２の監視制御情報転送手段を含み、集中監視制御装置とスレーブ監視制御装置とに接続されるマスタ監視制御装置とを備え、スレーブ監視制御装置は、第１の監視制御対象装置とマスタ監視制御装置と第１の監視制御情報転送手段とに接続される第１のスイッチと、を含み、マスタ監視制御装置は、集中監視制御装置と第２の監視制御情報転送手段とに接続される第２のスイッチと、第２の監視制御対象装置とスレーブ監視制御装置と第２の監視制御情報転送手段とに接続される第３のスイッチと、を含むことを特徴とする。
【００１２】
本発明のマスタ監視制御装置は、監視制御対象である複数の監視制御対象装置のうちの第２の台数の第２の監視制御対象装置の各々と複数の監視制御対象装置を監視制御する集中監視制御装置との間の、監視制御命令又は監視制御応答を、集約又は第２の監視制御対象装置毎に分離して転送する第２の監視制御情報転送手段と、複数の監視制御対象装置のうちの第１の台数の第１の監視制御対象装置の各々と集中監視制御装置との間の、監視制御命令又は監視制御応答を、集約又は第１の監視制御対象装置毎に分離して転送する第１の監視制御情報転送手段を含むスレーブ監視制御装置と、第２の監視制御対象装置と、第２の監視制御情報転送手段とに接続される第３のスイッチと、集中監視制御装置と第２の監視制御情報転送手段とに接続される第２のスイッチと、を備えることを特徴とする。
【００１３】
本発明のスレーブ監視制御装置は、監視制御対象である複数の監視制御対象装置のうちの第１の台数の第１の監視制御対象装置の各々と複数の監視制御対象装置を監視制御する集中監視制御装置との間の、監視制御命令又は監視制御応答を、集約又は第１の監視制御対象装置毎に分離して転送する第１の監視制御情報転送手段と、複数の監視制御対象装置のうちの第２の台数の第２の監視制御対象装置の各々と集中監視制御装置との間の、監視制御命令又は監視制御応答を、集約又は第２の監視制御対象装置毎に分離して転送する第２の監視制御情報転送手段を含むマスタ監視制御装置と、第１の監視制御対象装置と、第１の監視制御情報転送手段とに接続される第１のスイッチと、を備えることを特徴とする。
【００１４】
本発明の集中監視制御装置は、監視制御対象である複数の監視制御対象装置のうちの第１の台数の第１の監視制御対象装置の各々との間の、監視制御命令又は監視制御応答を、集約又は第１の監視制御対象装置毎に分離して転送する第１の監視制御情報転送手段を含むスレーブ監視制御装置を経由して第１の監視制御対象装置と接続され、複数の監視制御対象装置のうちの第２の台数の第２の監視制御対象装置の各々と集中監視制御装置との間の、監視制御命令又は監視制御応答を、集約又は第２の監視制御対象装置毎に分離して転送する第２の監視制御情報転送手段を含むマスタ監視制御装置を経由して第２の監視制御対象装置と接続され、第１の監視制御対象装置及び第２の監視制御対象装置を監視制御することを特徴とする。
【００１５】
本発明の監視方法は、監視制御対象である複数の監視制御対象装置のうちの第１の台数の第１の監視制御対象装置の各々と集中監視制御装置との間の、監視制御命令又は監視制御応答を、集約又は第１の監視制御対象装置毎に分離して転送し、複数の監視制御対象装置のうちの第２の台数の第２の監視制御対象装置の各々と集中監視制御装置との間の、監視制御命令又は監視制御応答を、集約又は第２の監視制御対象装置毎に分離して転送することを特徴とする。
【発明の効果】
【００１６】
本発明によれば、複数の監視制御対象の監視制御において、全ての監視制御対象を集中して監視制御する集中監視制御装置に対する負荷を抑制することが可能になり、１台の監視制御装置が処理し得る負荷を考慮して監視制御装置の装置数を決めることが可能になり、又、監視制御対象に割り当てが必要な集中監視制御装置と同じサブネットに属するＩＰアドレス数を１個にすることが可能になる。
【図面の簡単な説明】
【００１７】
【図１】本発明の実施形態における監視制御システムの構成を示すブロック図である。
【図２】本発明の実施形態における監視制御システムのマスタ監視制御装置の動作を説明するフローチャートである。
【図３】本発明の実施形態における監視制御システムのスレーブ監視制御装置の動作を説明するフローチャートである。
【発明を実施するための形態】
【００１８】
以下、本発明の実施形態について図面を参照して詳細に説明する。尚、すべての図面において、同様な構成要素には同様の符号を付し、適宜説明を省略する。
【００１９】
図１は、本発明の実施形態における監視制御システムの構成を示すブロック図である。本実施形態における監視制御システムは、集中監視制御装置５と、マスタ監視制御装置１１０と、スレーブ監視制御装置２１０と、監視制御対象装置１１６、２１６とを備える。
【００２０】
尚、図１は、本発明の実施形態における監視制御システムの最小の構成を示す。すなわち、図１では、１台のマスタ監視制御装置と、１台のスレーブ監視制御装置と、２台の監視制御対象装置とを含む構成を例示しているが、本実施の形態はこれに限定されない。以降の説明から明らかなように、集中監視制御装置には、複数のマスタ監視制御装置がカスケード接続されてもよい。マスタ監視制御装置には、１台以上のスレーブ監視制御装置のみでなく、他のマスタ監視制御装置が接続されてもよい。マスタ監視制御装置及びスレーブ監視制御装置には、それぞれ複数の監視制御対象装置が接続されてもよい。
【００２１】
集中監視制御装置５は、保守者に対し、すべての監視制御対象機器の監視及び制御のためのインタフェースを提供する。集中監視制御装置５は、１台のマスタ監視制御装置１１０とのみ直接接続される。集中監視制御装置５は、マスタ監視制御装置１１０を経由して、監視制御対象である監視制御対象機器１１６の監視制御情報を送受信する。集中監視制御装置５は、マスタ監視制御装置１１０、スレーブ監視制御装置２１０を経由して、監視制御対象である監視制御対象機器２１６の監視制御情報を送受信する。
【００２２】
又、マスタ監視制御装置１１０が監視制御対象装置１１６以外の監視制御対象装置に直接接続されるならば、集中監視制御装置５は、マスタ監視制御装置１１０を経由して、監視制御対象装置１１６以外の監視制御対象装置の監視制御情報を送受信する。又、マスタ監視制御装置１１０がスレーブ監視装置２１０以外のスレーブ監視制御装置に直接接続されるならば、集中監視制御装置５は、マスタ監視制御装置１１０及びスレーブ監視装置２１０以外のスレーブ監視制御装置を経由して、スレーブ監視装置２１０以外のスレーブ監視制御装置に直接接続された１台以上の監視制御対象装置の監視制御情報を送受信する。又、マスタ監視制御装置１１０が別のマスタ監視制御装置にカスケード接続されるならば、集中監視制御装置５は、マスタ監視制御装置１１０及び別のマスタ監視制御装置を経由して、別のマスタ監視制御装置に直接接続された１台以上の監視制御対象装置、及び、別のマスタ監視制御装置に直接接続されたスレーブ監視装置に直接接続された１台以上の監視制御対象装置の監視制御情報を送受信する。
【００２３】
尚、集中監視制御装置５は、例えば、ＥＭＳ（Element Management System）、又は、ＮＭＳ（Network Management System）を含んでもよい。
【００２４】
マスタ監視制御装置１１０は、マスタ監視制御装置１１０に直接接続される監視制御対象装置１１６、マスタ監視制御装置１１０に直接接続されるスレーブ監視制御装置２１０に接続される監視制御対象装置２１６と、集中監視制御装置５との間で通信される監視制御情報を集約・分離して転送する。ここで、「集約・分離」とは、本来であれば、監視制御対象装置毎に独立した、監視制御対象装置と集中監視制御装置５との間の監視制御情報を、複数の監視制御対象装置毎に１個の監視制御情報に集約したり、集約した監視制御情報を１台の監視制御対象装置毎に１個の監視制御情報に分離したりすることを指す。
【００２５】
又、監視制御対象装置１１６以外にマスタ監視制御装置１１０に直接接続される監視制御対象装置があれば、マスタ監視制御装置１１０は、監視制御対象装置１１６以外の監視制御対象装置と、集中監視制御装置５との間で通信される監視制御情報を集約・分離して転送する。又、スレーブ監視制御装置２１０以外にマスタ監視制御装置１１０に直接接続されるスレーブ監視制御装置があれば、マスタ監視制御装置１１０は、スレーブ監視制御装置２１０以外のスレーブ監視制御装置に直接接続される１台以上の監視制御対象装置と、集中監視制御装置５との間で通信される監視制御情報を集約・分離して転送する。
【００２６】
マスタ監視制御装置１１０が集中監視制御装置５と接続される場合、マスタ監視制御装置１１０は、マスタ監視制御装置１１０に接続される他のマスタ監視制御装置と、集中監視制御装置５との間で通信される監視制御情報の集中監視制御装置５以外のＩＰアドレスを集中監視制御装置５側サブネットのマスタ監視制御装置１１０のＩＰアドレスに置き換えて転送する。このとき同時に、マスタ監視制御装置１１０は、ポート番号も適当なポート番号に置き換える。ここで、集中監視制御装置５に接続されるマスタ監視制御装置は、マスタ監視制御装置１１０だけである。また、マスタ監視制御装置１１０の、集中監視制御装置５側のサブネットの、マスタ監視制御装置１１０のＩＰアドレス以外のＩＰアドレス、他のマスタ監視制御装置のＩＰアドレス、スレーブ監視制御装置２１０のＩＰアドレス、及び、監視制御対象装置のＩＰアドレスは、集中監視制御装置５側のサブネットに属さないＩＰアドレスである。
【００２７】
尚、ここでは、マスタ監視制御装置１１０がＩＰアドレスとポート番号の置き換え機能（ＩＰマスカレード）を備える構成を例示しているが、本実施の形態はこれに限定されない。ＩＰマスカレード機能を備えた装置が、マスタ監視制御装置１１０と集中監視制御装置５との間に独立して存在してもよい。
【００２８】
マスタ監視制御装置１１０は、集中監視制御装置５に接続され、更に、マスタ監視制御装置１１０が末端に位置する場合を除き、別のマスタ監視制御装置と接続される。各マスタ監視制御装置は、そのマスタ監視制御装置より集中監視制御装置５から遠い側のマスタ監視制御装置と集中監視制御装置５との間の監視制御情報を中継する。
【００２９】
マスタ監視制御装置１１０は、スイッチＢ１１２と、スイッチＡ１１１と、監視制御情報転送手段１１３とを備える。マスタ監視制御装置１１０は、集中監視制御装置５、又は、他のマスタ監視制御装置に、スイッチＡ１１１を経由して接続される。マスタ監視制御装置１１０は、１台以上の監視制御対象装置１１６、及び、１台以上のスレーブ監視制御装置２１０に、スイッチＢ１１２を経由して接続される。監視制御情報転送手段１１３は、監視制御対象装置毎の監視制御情報を集約又は分離して転送する。
【００３０】
尚、スイッチＢ１１２、及び、スイッチＡ１１１は、例えば、ルータ、Ｌ３スイッチ（Layer 3 Switch）、又は、Ｌ２スイッチ（Layer 2 Switch）であってもよい。
【００３１】
尚、ここでは、マスタ監視制御装置１１０を例に説明したが、他のマスタ監視制御装置についても同様である。
【００３２】
スレーブ監視制御装置２１０は、監視制御対象装置２１６と、集中監視制御装置５との間で通信される監視制御情報を集約・分離して転送する。
【００３３】
又、スレーブ監視制御装置２１０が監視制御対象装置２１６以外の監視制御対象装置に接続されるならば、スレーブ監視制御装置２１０は、監視制御対象装置２１６以外の監視制御対象装置と、集中監視制御装置５との間で通信される監視制御情報を集約・分離して転送する。
【００３４】
スレーブ監視制御装置２１０は、１台のマスタ監視制御装置１１０に接続される。
【００３５】
スレーブ監視制御装置２１０は、スイッチＣ２１２と、監視制御情報転送手段２１３とを備える。スレーブ監視制御装置２１０は、監視制御対象装置２１６と、マスタ監視制御装置１１０とに、スイッチＣ２１２を経由して接続される。監視制御情報転送手段２１３は、監視制御対象装置２１６の監視制御情報を集約又は分離して、適当な宛先に転送する。
【００３６】
尚、ここでは、スレーブ監視制御装置２１０を例に説明したが、他のスレーブ監視制御装置についても同様である。
【００３７】
監視制御対象装置１１６は、集中監視制御装置５との間の監視制御情報を送受信する。監視制御対象装置１１６は、マスタ監視制御装置１１０に接続される。
【００３８】
監視制御対象装置２１６は、集中監視制御装置５との間の監視制御情報を送受信する。監視制御対象装置２１６は、スレーブ監視制御装置２１０に接続される。
【００３９】
次に、本実施形態の動作を説明する。
【００４０】
図２は、本実施形態における監視制御システムのマスタ監視制御装置の動作を示すフローチャートである。尚、ここでは、マスタ監視制御装置１１０を例に説明する。マスタ監視制御装置１１０には、他のマスタ監視制御装置が接続される場合がある。その場合も、全てのマスタ監視制御装置について、動作はマスタ監視制御装置１１０の動作と同様である。
【００４１】
マスタ監視制御装置１１０のスイッチＡ１１１は、集中監視制御装置５から監視制御命令を受信すると（ステップＳ２１：Ｙｅｓ）、受信した監視制御命令をマスタ監視制御装置１１０の監視制御情報転送手段１１３、及び、もしあれば、後段のマスタ監視制御装置に転送する（ステップＳ２２）。
【００４２】
監視制御情報転送手段１１３は、スイッチＡ１１１から監視制御命令を受け取り、受け取った監視制御命令を監視制御対象装置毎の監視制御命令に分離する（ステップＳ２３）。
【００４３】
監視制御情報転送手段１１３は、分離された監視制御命令の目的である監視制御対象装置がマスタ監視制御装置１１０に直接接続されるならば、分離された監視制御命令を監視制御命令の目的である監視制御対象装置１１６に、スイッチＢ１１２を経由して転送する（ステップＳ２４）。
【００４４】
一方、監視制御情報転送手段１１３は、分離された監視制御命令の目的である監視制御対象装置がマスタ監視制御装置１１０に直接接続されるスレーブ監視制御装置（この場合は、スレーブ監視制御装置２１０）に直接接続されるならば、分離された監視制御命令をスレーブ監視制御装置毎の監視制御命令に集約して、監視制御命令の目的である監視制御対象装置（この場合は、監視制御対象装置２１６）に直接接続されるスレーブ監視制御装置（この場合は、スレーブ監視制御装２１０）に、スイッチＢ１１２を経由して転送する（ステップＳ２５）。
【００４５】
スイッチＡ１１１は、監視制御命令を受信しなければ、ステップＳ２６の処理に移る（ステップＳ２１：Ｎｏ）。
【００４６】
マスタ監視制御装置１１０のスイッチＡ１１１は、マスタ監視制御装置１１０の監視制御情報転送手段１１３、又は、もしあれば、後続のマスタ監視制御装置から監視制御応答を受信すると（ステップＳ２６：Ｙｅｓ）、受信した監視制御応答を集中監視制御装置５、又は、もしあれば、前段のマスタ監視制御装置（この場合は、存在しない）に転送する（ステップＳ２７）。
【００４７】
尚、ここで、集中監視制御装置５に転送する場合には、監視制御応答のソースＩＰアドレスをマスタ監視制御装置の集中監視制御装置５側サブネットのＩＰアドレスに変換する。また、ソースポート番号を適当なポート番号に変換する。尚、このＩＰアドレス及びポート番号の変換は、ＩＰマスカレードとして、当業者に広く知られているので、ここでは説明しない。
【００４８】
スイッチＡ１１１は、監視制御応答を受信しなければ、ステップＳ３１の処理に移る（ステップＳ２６：Ｎｏ）。
【００４９】
マスタ監視制御装置１１０のスイッチＢ１１２は、監視制御情報転送手段１１３から監視制御命令を受信すると（ステップＳ３１：Ｙｅｓ）、受信した監視制御命令をマスタ監視制御装置１１０に直接接続された監視制御対象装置（この場合は、監視制御対象装置１１６）、又は、マスタ監視制御装置１１０に直接接続されたスレーブ監視制御装置（この場合は、スレーブ監視制御装置２１０）に転送する（ステップＳ３２）。
【００５０】
スイッチＢ１１２は、監視制御命令を受信しなければ、ステップＳ３６の処理に移る（ステップＳ３１：Ｎｏ）。
【００５１】
マスタ監視制御装置１１０のスイッチＢ１１２は、マスタ監視制御装置１１０に直接接続された監視制御対象装置（この場合は、監視制御対象装置１１６）、又は、マスタ監視制御装置１１０に直接接続されたスレーブ監視制御装置（この場合は、スレーブ監視制御装置２１０）から監視制御応答を受信すると（ステップＳ３６：Ｙｅｓ）、受信した監視制御応答をマスタ監視制御装置１１０の監視制御情報転送手段１１３に転送する（ステップＳ３７）。
【００５２】
マスタ監視制御装置１１０の監視制御情報転送手段１１３は、受信した監視制御対象装置（この場合は、監視制御対象装置１１６）の監視制御応答をマスタ監視制御装置１１０毎の監視制御応答に集約する。その際、もしあれば、スレーブ監視制御装置（この場合は、スレーブ監視制御装置２１０）毎の監視制御応答があれば、その監視制御応答も集約する。そして、集中監視制御装置５、又は、もしあれば、前段のマスタ監視制御装置（この場合は、存在しない）に転送する（ステップＳ３８）。
【００５３】
スイッチＢ１１２は、監視制御応答を受信しなければ、ステップＳ２１に戻る（ステップＳ３６：Ｎｏ）。
【００５４】
図３は、本実施形態における監視制御システムのスレーブ監視制御装置の動作を示すフローチャートである。尚、ここでは、スレーブ監視制御装置２１０を例に説明する。マスタ監視制御装置１１０には、複数のスレーブ監視制御装置が接続される場合がある。その場合も、全てのスレーブ監視制御装置について、動作はスレーブ監視制御装置２１０の動作と同様である。
【００５５】
スレーブ監視制御装置２１０のスイッチＣ２１２は、監視制御情報転送手段２１３から監視制御命令を受信すると（ステップＳ４１：Ｙｅｓ）、受信した監視制御命令をスレーブ監視制御装置２１０に直接接続された監視制御対象装置（この場合は、監視制御対象装置２１６）に転送する（ステップＳ４２）。
【００５６】
スイッチＣ２１２は、監視制御命令を受信しなければ、ステップＳ４６の処理に移る（ステップＳ４１：Ｎｏ）。
【００５７】
スレーブ監視制御装置２０のスイッチＣ２１２は、スレーブ監視制御装置２１０に直接接続された監視制御対象装置（この場合は、監視制御対象装置２１６）から監視制御応答を受信すると（ステップＳ４６：Ｙｅｓ）、受信した監視制御応答をスレーブ監視制御装置２１０の監視制御情報転送手段２１３に転送する（ステップＳ４７）。
【００５８】
スレーブ監視制御装置２１０の監視制御情報転送手段２１３は、受信した監視制御対象装置（この場合は、監視制御対象装置２１６）の監視制御応答をスレーブ監視制御装置２１０毎の監視制御応答に集約して、スレーブ監視制御装置２１０に直接接続されるマスタ監視制御装置１１０に転送する。
【００５９】
スイッチＣ２１２は、監視制御応答を受信しなければ、ステップＳ４１に戻る（ステップＳ４６：Ｎｏ）。
【００６０】
以上説明したように、本実施形態における監視制御システムでは、集中監視装置は、すべての監視制御対象装置に対する監視制御命令を１台のマスタ監視制御装置１１０に対して集約して要求できる。その結果、監視制御情報の通信に係るパケット数やオーバーヘッドを削減でき、集中制御監視装置に対する負荷を抑制することが可能である。
【００６１】
又、本実施形態における監視制御システムでは、１台のマスタ監視制御装置又はスレーブ監視制御装置が処理し得る監視制御対象装置数等を考慮して、マスタ監視制御装置及びスレーブ監視制御装置の装置数を決めることができる。例えば、２７台の監視制御対象装置が存在する場合、１台のマスタ監視制御装置又はスレーブ監視制御装置が処理し得る監視制御対象装置数が３台ならば、９台のマスタ監視制御装置及びスレーブ監視制御装置を用意すればよい。
【００６２】
又、本実施形態における監視制御システムでは、１台のマスタ監視制御装置が処理し得る監視制御対象装置の台数、１台のスレーブ監視制御装置が処理し得る監視制御対象装置の台数、及び、１台のマスタ監視制御装置が処理し得るスレーブ監視制御装置の台数等を考慮して、マスタ監視制御装置及びスレーブ監視制御装置の装置数を決めることができる。例えば、２７台の監視制御対象装置が存在する場合、１台のマスタ監視制御装置が処理し得る監視制御対象装置数が３台で、１台のスレーブ監視制御装置が処理し得る監視制御対象装置数が３台で、１台のマスタ監視制御装置が処理し得るスレーブ監視制御装置数が２台ならば、３台のマスタ監視制御装置及び６台のスレーブ監視制御装置を用意すればよい。
【００６３】
又、本実施形態における監視制御システムでは、集中監視装置は、すべての監視制御対象装置に対する監視制御命令を１台のマスタ監視制御装置１１０に対して集約して要求できる。その結果、監視制御対象に割り当てが必要な集中監視制御装置と同じサブネットに属するＩＰアドレス数を１個にすることが可能である。
【００６４】
尚、本願発明は、上述の実施形態に限定されるものではなく、本願発明の要旨を逸脱しない範囲で種々変更、変形して実施することができる。
【符号の説明】
【００６５】
５    集中監視制御装置
１１０    マスタ監視制御装置
２１０    スレーブ監視制御装置
１１６、２１６    監視制御対象装置
１１１    スイッチＡ
１１２    スイッチＢ
２１２    スイッチＣ
１１３、２１３    監視制御情報転送手段
【図１】
2014093763.tif 000003
【図２】
2014093763.tif 000004
【図３】
2014093763.tif 000005